(57)【要約】【課題】本発明は電気コネクタのコンタクトを保護するだけでなく、真空吸盤の吸い上げに使われる取外装置を持っている電気コネクタ組立体を提供する。【解決手段】本発明の電気コネクタ組立体は電気コネクタと、取外装置を含んでいる。電気コネクタは導電部を持っているコネクタボディと、コネクタボディに装着した押圧カバーから構成して、ＬＧＡチップモジュールと回路基板とを電気的に連結できる。コネクタボディには複数の導電端子が収容される。取外装置の中央部には真空吸盤が吸着できる平滑な吸引部を設置し、まわりには複数の鈎が延設されている。鈎を電気コネクタの押圧カバーと嵌合することによって、取外装置を押圧カバーに取り付けることができる。【選択図】図３
2004363081.tif 000002
【特許請求の範囲】
【請求項１】
複数の導電端子を収容するコネクタ本体及び該コネクタ本体に組付けられる押圧カバーを含む電気コネクタと、
取外装置と、を備え、
前記取外装置の中央部に滑らかで平らにされた吸引部が設けられ、且つ該取外装置が押圧カバーに組付けられていることを特徴とする電気コネクタ組立体。
【請求項２】
前記取外装置の周辺には、電気コネクタの押圧カバーに係合される複数のラッチが延伸して設けられていることを特徴とする請求項１に記載の電気コネクタ組立体。
【請求項３】
前記取外装置の周辺には、複数のグルーブが開設されていることを特徴とする請求項２に記載の電気コネクタ組立体。
【請求項４】
前記取外装置のラッチは第１ラッチ及び第２ラッチを含み、取外装置の相対する両端は第１端部及び第２端部であり、第１ラッチは第１端部に設けられ、第２ラッチは第２端部に設けられていることを特徴とする請求項３に記載の電気コネクタ組立体。
【請求項５】
前記グルーブは第１グルーブ、第２グルーブ、第３グルーブ、第４グルーブ、第５グルーブ及び第６グルーブを含んでいることを特徴とする請求項４記載の電気コネクタ組立体。
【請求項６】
前記第１グルーブは第１端部の相対する両端に設けられ、第１ラッチは第１グルーブと第１端部の縦長い側辺との間に位置する壁面から垂直に延伸して設けられ、且つ第２端部の相対する両端に１対の位置決めブロックが対称に設けられていることを特徴とする請求項５記載の電気コネクタ組立体。
【請求項７】
前記第２グルーブは三角形に形成され、且つ第１端部の一端の第１グルーブに隣接する所に設けられていることを特徴とする請求項５記載の電気コネクタ組立体。
【請求項８】
前記第３グルーブは矩形に形成され、且つ第１端部に開設され、第１端部の縦長い方向に沿って延伸されていることを特徴とする請求項５記載の電気コネクタ組立体。
【請求項９】
前記第４グルーブは「Ｔ」字型に形成され、第２端部の中央部に開設され、第２ラッチは第４グルーブと第２端部の縦長い側辺との間に位置する壁面から垂直に延伸して設けられていることを特徴とする請求項５に記載の電気コネクタ組立体。
【請求項１０】
前記第６グルーブは取外装置の第１端部と第２端部との間に位置し相対する両側辺に開設され、且つ第６グルーブの外側に第６グルーブに対して平行な方向に沿ってアーチ型合わせブロックが突設されていることを特徴とする請求項８に記載の電気コネクタ組立体。
【請求項１１】
前記第１端部の縦長の側辺の中央部には、梯形に形成される延伸部が外方へ湾曲して延伸されていることを特徴とする請求項４に記載の電気コネクタ組立体。
【請求項１２】
前記押圧カバーの相対する両側辺は第１側辺及び第２側辺であり、第１側辺の中央部に合わせ部が湾曲して延伸され、押圧カバーの第１側辺及び第２側辺を連接する他の両側辺の中央部にコネクタ本体方向へ挟持部が突設されていることを特徴とする請求項１１記載の電気コネクタ組立体。
【請求項１３】
前記押圧カバーは第２側辺に弧形に形成される２つの係合部が対称に延伸して設けられ、該両係合部の間に細長い位置決め部が延伸して設けられていることを特徴とする請求項１２記載の電気コネクタ組立体。
【請求項１４】
前記取外装置の第１ラッチは押圧カバーの第１側辺の両端に係合し、取外装置の第２ラッチは押圧カバーの両係合部と位置決め部との間に位置する第２側辺に係合し、取外装置の位置決めブロックは第２側辺の相対する両端に干渉して係合し、取外装置の合わせブロックは押圧カバーの挟持部に収容され、取外装置の延伸部は押圧カバーの合わせ部に貼付けられていることを特徴とする請求項１３記載の電気コネクタ組立体。
【請求項１５】
中央部に大きな空間を有する枠組み構造に形成される押圧カバーと、
取外装置と、を備え、
前記取外装置の中央部に滑らかで平らにされた吸引部が設けられ、且つ該取外装置が押圧カバーに組付けられていることを特徴とする組立体。
【請求項１６】
前記取外装置の周辺には、押圧カバーに係合する複数のラッチが延伸して設けられていることを特徴とする請求項１５記載の組立体。
【請求項１７】
前記取外装置の周辺には、複数のグルーブが開設されていることを特徴とする請求項１６に記載の組立体。
【請求項１８】
前記取外装置のラッチは第１ラッチ及び第２ラッチを含み、取外装置の相対する両端は第１端部及び第２端部であり、第１ラッチは第１端部に設けられ、第２ラッチは第２端部に設けられていることを特徴とする請求項１７に記載の組立体。
【請求項１９】
前記グルーブは第１グルーブ、第２グルーブ、第３グルーブ、第４グルーブ、第５グルーブ及び第６グルーブを含んでいることを特徴とする請求項１８記載の組立体。
【請求項２０】
前記第１グルーブは第１端部の相対する両端に設けられ、第１ラッチは第１グルーブと第１端部の縦長の側辺との間に位置する壁面から垂直に延伸して設けられ、且つ第２端部の相対する両端に１対の位置決めブロックが対称に設けられていることを特徴とする請求項１９記載の組立体。
【請求項２１】
前記第２グルーブは三角形に形成され、且つ第１端部の一端の第１グルーブに隣接する所に設けられていることを特徴とする請求項１９記載の組立体。
【請求項２２】
前記第３グルーブは矩形に形成され、且つ第１端部に開設され、第１端部の縦長の方向に沿って延伸されていることを特徴とする請求項１９記載の組立体。
【請求項２３】
前記第４グルーブは「Ｔ」字型に形成され、第２端部の中央部に開設され、第２ラッチは第４グルーブと第２端部の縦長の側辺との間に位置する壁面から垂直に延伸して設けられていることを特徴とする請求項１９に記載の組立体。
【請求項２４】
前記第６グルーブは取外装置の第１端部と第２端部との間に位置し相対する両側辺に開設され、且つ第６グルーブの外側に第６グルーブに対して平行な方向に沿ってアーチ型合わせブロックが突設されていることを特徴とする請求項１９に記載の組立体。
【請求項２５】
前記第１端部の縦長の側辺の中央部には、梯形に形成される延伸部が外方へ湾曲して延伸されていることを特徴とする請求項１８に記載の組立体。
【請求項２６】
前記押圧カバーの相対する両側辺は第１側辺及び第２側辺であり、第１側辺の中央部に合わせ部が湾曲して延伸され、押圧カバーの第１側辺及び第２側辺を連接する他の両側辺の中央部にコネクタ本体方向へ挟持部が突設されていることを特徴とする請求項２５記載の組立体。
【請求項２７】
前記押圧カバーは第２側辺に弧形に形成される２つの係合部が対称に延伸して設けられ、該両係合部の間に細長い位置決め部が延伸して設けられていることを特徴とする請求項２６記載の組立体。
【請求項２８】
前記取外装置の第１ラッチは押圧カバーの第１側辺の両端に係合し、取外装置の第２ラッチは押圧カバーの両係合部と位置決め部との間に位置する第２側辺に係合し、取外装置の位置決めブロックは第２側辺の相対する両端に干渉して係合し、取外装置の合わせブロックは押圧カバーの挟持部に収容され、取外装置の延伸部は押圧カバーの合わせ部に貼付けられていることを特徴とする請求項２７記載の組立体。
【請求項２９】
中央部には滑らかで平らにされた吸引部が設けられ、相対する両端には第１端部及び第２端部が設けられ、第１端部の相対する両端に第１ラッチが延伸して設けられ、第２端部の中央部に第２ラッチが延伸して設けられていることを特徴とする取外装置。
【請求項３０】
前記取外装置の周辺には、複数のグルーブが開設され、一方のグルーブは第１端部に設けられ、第１ラッチは該一方のグルーブと第１端部の縦長の側辺との間に位置する壁面から延伸され、他方のグルーブは「Ｔ」字型に形成され、第２端部の中央部に設けられ、第２ラッチは該他方のグルーブと第２端部の縦長の側辺との間に位置する壁面から延伸されていることを特徴とする請求項２９に記載の取外装置。
【請求項３１】
前記グルーブは第１グルーブ、第２グルーブ、第３グルーブ、第４グルーブ、第５グルーブ及び第６グルーブを含んでいることを特徴とする請求項３０記載の取外装置。
【請求項３２】
前記第１グルーブは第１端部の相対する両端に設けられ、第１ラッチは第１グルーブと第１端部の縦長の側辺との間に位置する壁面から垂直に延伸して設けられ、且つ第２端部の相対する両端に１対の位置決めブロックが対称に設けられ、前記一方のグルーブは第１端部に設けられ、第１ラッチは該一方のグルーブと第１端部の縦長の側辺との間に位置する壁面から延伸され、第二端部の対応の両端に対称に一対の位置決めブロックが設けられることを特徴とする請求項３１記載の取外装置。
【請求項３３】
前記第２グルーブは三角形に形成され、且つ第１端部の一端の第１グルーブに隣接する所に設けられていることを特徴とする請求項３１記載の取外装置。
【請求項３４】
前記第３グルーブは矩形に形成され、且つ第１端部に開設され、第１端部の縦長の方向に沿って延伸されていることを特徴とする請求項３１記載の取外装置。
【請求項３５】
前記第４グルーブは「Ｔ」字型に形成され、第２端部の中央部に開設され、第２ラッチは第４グルーブと第２端部の縦長の側辺との間に位置する壁面から垂直に延伸して設けられていることを特徴とする請求項３１に記載の取外装置。
【請求項３６】
前記第６グルーブは取外装置の第１端部と第２端部との間に位置し相対する両側辺に開設され、且つ第６グルーブの外側に第６グルーブに対して平行な方向に沿ってアーチ型合わせブロックが突設されていることを特徴とする請求項３１に記載の取外装置。
【請求項３７】
前記第１端部の縦長の側辺の中央部には、梯形に形成される延伸部が外方へ湾曲して延伸されていることを特徴とする請求項３０に記載の取外装置。
【発明の詳細な説明】
【技術分野】
【０００１】
本発明は、電気コネクタ組立体に関し、特にＬＧＡパッケージを回路基板に電気的に接続し、且つ取外装置を有する電気コネクタ組立体に関するものである。
【背景技術】
【０００２】
従来の電気コネクタ組立体は通常ＬＧＡパッケージを回路基板に電気的に接続するために用いられ、複数の導電端子を収容するコネクタ本体、押圧カバー及び操作具を含む。押圧カバー及び操作具はコネクタ本体の相対する両端に組付けられ、且つＬＧＡパッケージをコネクタ本体に固着する。コネクタ本体の中央部に導電部が設けられ、周辺に導電部にある表面より高い側壁が設けられ、導電部内に導電端子を収容し、且つ導電端子は導電部にある表面から突出される。
【０００３】
電気コネクタが加工された後、取外装置がコネクタ本体に係合され、電気コネクタが回路基板に組付けられる際に、取外装置及び電気コネクタは真空吸引装置により吸引された後、回路基板の所定位置に固着され、電気コネクタが該回路基板に組付けられる。
【０００４】
従来の取外装置はコネクタ本体の周辺側壁の内側に係止され、中央部には真空吸引装置によって吸引され滑らかで平らな吸引部が設けられ、まわりに取り出し装置の外側へ曲げる複数の鈎が延設される。
【０００５】
しかし、取外装置をコネクタ本体のまわりにある壁の内側と被せると、コネクタ本体から取り外す場合、コネクタ本体導電区の導電端子が導電区の表面から突出しているので、導電端子の導電区表面から突出する部分は取外装置の鈎とぶつかって、導電端子の位置が移られる一方、導電端子とＬＧＡチップモジュールの導電体との相対位置は変化させ、こうして、ＬＧＡチップモジュールと電気コネクタとの電気的な接続を達成することはできない。
【発明の開示】
【発明が解決しようとする課題】
【０００６】
本発明は電気コネクタのコンタクトを保護するだけでなく、真空吸盤の吸い上げに使われる取外装置を持っている電気コネクタ組立体を提供する。
【課題を解決するための手段】
【０００７】
本発明の電気コネクタ組立体は電気コネクタと、取外装置を含んでいる。電気コネクタは導電部を持っているコネクタボディと、コネクタボディに装着した押圧カバーから構成して、ＬＧＡチップモジュールと回路基板とを電気的に連結できる。コネクタボディには複数の導電端子が収容される。取外装置の中央部には真空吸盤が吸着できる平滑な吸引部を設置し、まわりには複数の鈎が延設されている。鈎の電気コネクタの押圧カバーと嵌合することによって、取外装置を押圧カバーに取り付けることができる。
【発明の効果】
【０００８】
従来の技術に比べると、本発明は以下の長所がある。取外装置の鈎は押圧カバーの裏つまりコネクタボディ導電部の導電端子から遠い位置に設けられているから、導電部に収容された導電端子とぶつかる可能性が小さくなる一方、導電端子の破損も防ぐことができる。
【発明を実施するための最良の形態】
【０００９】
図１〜図４を参照すると、本発明の電気組立体は、ＬＧＡチップモジュール（図示せず）と回路基板（図示せず）とを電気的に連接する電気コネクタ２と、電気コネクタ２に装着する取外装置３とを備えている。電気コネクタ２は、複数の導電端子（記号なし）が収容されるコネクタボディ２１と、コネクタボディ２１の外側に設けられる補強片２２と、コネクタボディ２１の相対する両端とそれぞれ連結する押圧カバー２４と、稼動アーム２５とから構成されている。
【００１０】
コネクタボディ２１は縦長の板状構造で、複数の端子収容溝（記号なし）を含む導電部２１１が中央部に形成され、上記端子収容溝の中には複数の導電部２１１の表面から突出する導電端子が収容されている。
【００１１】
回路基板から遠く離れたコネクタボディ２１の表面にＬＧＡチップモジュールを搭載する。導電端子と回路基板との接続によってコネクタボディ２１は回路基板と電気的に接続される。また、導電端子とＬＧＡチップモジュールの導電体とが接続して、ＬＧＡチップモジュールと回路基板との電気的な接続が達成される。
【００１２】
押圧カバー２４は内部が空けられた矩形の構成であって、相対する側縁は第１側辺２４１と第２側辺２４２とに分けられる。第１側辺２４１の中央部に合わせ部２４１１が弓形に曲がっている。合わせ部２４１１には合わせ面２４１２がある。第２側辺２４２には横断面が半円である係合部２４２１が対称的に延設され、両係合部２４２１の間に細長い固定部が延設されている。押圧カバー２４の第１側辺２４１と第２側辺２４２とを接続する両相対する側縁の中部がコネクタボディ２１側へ突起して、挟持部２４２３を構成している。取外装置３は押圧カバー２４と同じ大きさの長方形の板構造で、中央部には真空吸盤が吸着できる平滑な吸引部を設け、周囲に複数のグルーブ３０及び複数の鈎を設ける。グルーブ３０は、第１グルーブ３０１、第２グルーブ３０２、第３グルーブ３０３、第４グルーブ３０４、第５グルーブ３０５、第６グルーブ３０６がある。鈎は第１ラッチ３１１と第２ラッチ３２１がある。取外装置の相対する両端は第１端部３１と第２端部３２がある。第１端部３１の相対する両端には二つの長方形の第１グルーブ３０１が設けられ、第１ラッチ３１１は第１グルーブ３０１と第１端部３１の側縁とを隔てている隔壁に沿って縦に延びている。第１端部３１の一端の、第１グルーブ３０１と近いところに、深さは取外装置の厚さに及ばない三角形の第２グルーブ３０２が設けられている。第１端部の長手方向に沿って長方形の第３グルーブが第１端部３１の中部に対称的に設置されている。梯形延伸部３４が第１端部３１の縦長側縁の中部から外へ曲がりながら突起している。
【００１３】
第２端部３２の真中にはＴ型の第４グルーブ３０４が設置され、第２ラッチ３２１は第４グルーブ３０４と第２端部３２の側縁とを隔てている隔壁に沿って縦に延びている。第２端部３２の相対する両端には位置決めブロック３２２がそれぞれ設置され、長方形の第５グルーブ３０５が延伸している。
【００１４】
取外装置３には、第１端部３１と第２端部３２との相対する両側縁において、第１端部３１および第２端部３２と垂直な方向に沿って、長方形の第６グルーブ３０６が対称的に並べられている。第６グルーブ３０６の外側に弓形合わせブロック３５が第６グルーブ３０６と平行な方向に沿って弓形に突起している。
【００１５】
取外装置３を電気コネクタ２に組み合わせる場合、取外装置３の第１ラッチ３１１が押圧カバー２４の第１側辺２４１の両端に嵌合する。取外装置３の第２ラッチ３２１が押圧カバー２４の二つの係合部２４２１と位置決め部２４２２との間にある第２側辺２４２に嵌合する。取外装置３の位置決めブロック３２２は第２側辺２４２の相対する両端に嵌合する。取外装置３の延伸部３４が押圧カバー２４の合わせ面２４１２に押し付けられる。取外装置３の合わせブロック３５は押圧カバー２４の挟持部２４２３のコネクタボディ２１側へ突起する凹部に容収される。
【００１６】
取外装置３を押圧カバー２４の表面に被せて嵌合したあと、押圧カバー２４をコネクタボディ２１に被せて嵌合させるので、取外装置３の第１ラッチ３１１と第２ラッチ３２１はコネクタボディ２１の導電部２１１の導電端子から遠くなり、導電部２１１に収容された導電端子にぶつかるおそれがなく、導電端子が破損しないように保護される。
【００１７】
電気コンタクト２をほかの電子部品と接続する場合、真空吸盤が取外装置３の中部の吸引部３３につけられるが、取外装置３の表面積だけでなく、吸引部３３の面積も大きくなって、真空吸盤の吸い上げ面積が拡大するから、真空吸盤の吸い上げるときの位置も判定しやすい。
【００１８】
総じて、本発明の多数の特徴及び長所など、その構造及び機能が共に前述の記載により掲げられている。また前記の説明は、本発明に基づきなしうる細部の修正或は変更など、いずれも本発明の請求範囲に属するものとする。
【産業上の利用可能性】
【００１９】
本発明は、電気コネクタ組立体に関し、特にＬＧＡパッケージを回路基板に電気的に接続し、且つ取外装置を有する電気コネクタ組立体に関するものである。
【図面の簡単な説明】
【００２０】
【図１】本発明の電気コネクタ組立体の分解斜視図である。
【図２】本発明の電気コネクタ組立体の取外装置の斜視図である。
【図３】本発明の電気コネクタ組立体の取外装置及び押圧カバーの組立斜視図である。
【図４】本発明の電気コネクタ組立体の組立斜視図である。
【符号の説明】
【００２１】
２  電気コネクタ
３  取外装置
２１  コネクタボディ
２２  補強片
２４  押圧カバー
２５  駆動具
３０  グルーブ
３１  第１端部
３２  第２端部
３３  吸引部
３４  延伸部
３５  合わせブロック
２１１  導電部
２４１  第１側辺
２４２  第２側辺
３０１  第１グルーブ
３０２  第２グルーブ
３０３  第３グルーブ
３０４  第４グルーブ
３０５  第５グルーブ
３０６  第６グルーブ
３１１  第１ラッチ
３２１  第２ラッチ
３２２  位置決めブロック
２４１１  合わせ部
２４１２  合わせ面
２４２１  係合部
２４２２  位置決め部
２４２３  挟持部
【図１】
2004363081.tif 000003
【図２】
2004363081.tif 000004
【図３】
2004363081.tif 000005
【図４】
2004363081.tif 000006